(57)【要約】【目的】家具の内部に傷を付けることなく棚構成を自由に変えることができる収納家具を提供する。【構成】枠体１０と、この枠体の内部空間に設けられる少なくとも一の棚ユニット２０とを有してなる収納家具であり、枠体の天板１１の下面には幅方向に延長するレール１５が設けられ、該レールに沿ってスライド移動可能に上下調整治具３０が設けられる。棚ユニットの仕切板２１は、その下端が枠体の座板１３上に載置され、その上部が上下調整治具を介して該レールに対して下方に押し付けられた状態で着脱可能に固定される。棚ユニットの少なくとも一の棚板２２は、その四隅に設けられる棚板固定治具（４０）を介して仕切板に着脱可能に固定される。幕板１６はレールの手前側において該レールに対して着脱可能に固定される。【選択図】図１
2006174907.tif 000002
【特許請求の範囲】
【請求項１】
枠体と、この枠体の内部空間に設けられる少なくとも一の棚ユニットとを有してなり、枠体は天板と左右一対の側板と座板とを有してなり、天板の下面には幅方向に延長するレールが設けられ、棚ユニットは左右一対の仕切板とこれら仕切板の間に架設される棚板とを有し、棚ユニットの仕切板は、その下端が枠体の座板上面に載置され、その上部がレールに沿ってスライド移動可能である上下調整治具を介して該レールに対して下方に押し付けられた状態で着脱可能に固定されることを特徴とする収納家具。
【請求項２】
少なくとも一の棚板が、その四隅に設けられる棚板固定治具を介して仕切板に着脱可能に固定されることを特徴とする、請求項１の収納家具。
【請求項３】
前記レールの手前側に幕板が該レールに対して着脱可能に固定されることを特徴とする、請求項１または２の収納家具。
【発明の詳細な説明】
【技術分野】
【０００１】
本発明は収納家具に関する。
【背景技術】
【０００２】
収納家具に関する従来技術として、下記特許文献１には、家具本体の上部に昇降可能な幕板部材を設けることにより家具と部屋の天井面との間の隙間を塞ぐことが記載されている。
【特許文献１】特許第３５８７４９１号公報
【０００３】
また、下記特許文献２には、天板の下面に埋設固定したレールにボルトまたはナットの一方の頭部を挿通するとともに、天板を支持する収納家具などの頂板からボルトまたはナットの他方を上方に突出させ、これらボルトとナットとを螺合することにより、天板と頂板とを当接させた状態で長手方向の位置決めおよび調節を可能にしたものが記載されている。
【特許文献２】実公平６−２０４４１号公報
【発明の開示】
【発明が解決しようとする課題】
【０００４】
収納家具は比較的長期間にわたって使用されるものであるため、家族構成の変化やリフォームなどに応じて内部の棚構成を変えることができるものであることが好ましいが、上記特許文献１，２に記載の従来技術ではこのような課題を認識しておらず、その課題解決のための手段も何ら開示されていない。これら従来技術の収納家具において内部の棚構成を変えようとする場合は、釘打ちなどで固定されている棚を無理矢理取り外し、新たな棚を所望の位置に釘打ちなどで固定しなければならず、家具の内部に傷を付けてしまう。
【０００５】
したがって、本発明の課題は、家具の内部に傷を付けることなく棚構成を自由に変えることができる収納家具を提供することである。
【課題を解決するための手段】
【０００６】
上記の課題を達成するため、請求項１に係る本発明は、枠体と、この枠体の内部空間に設けられる少なくとも一の棚ユニットとを有してなり、枠体は天板と左右一対の側板と座板とを有してなり、天板の下面には幅方向に延長するレールが設けられ、棚ユニットは左右一対の仕切板とこれら仕切板の間に架設される棚板とを有し、棚ユニットの仕切板は、その下端が枠体の座板上面に載置され、その上部がレールに沿ってスライド移動可能である上下調整治具を介して該レールに対して下方に押し付けられた状態で着脱可能に固定されることを特徴とする収納家具である。
【０００７】
請求項２に係る本発明は、請求項１の収納家具において、少なくとも一の棚板が、その四隅に設けられる棚板固定治具を介して仕切板に着脱可能に固定されることを特徴とする。
【０００８】
請求項３に係る本発明は、請求項１または２の収納家具において、前記レールの手前側に幕板が該レールに対して着脱可能に固定されることを特徴とする。
【発明の効果】
【０００９】
請求項１に係る本発明によれば、収納家具の枠体の座板上に載置された左右一対の仕切板は、各々その上部を上下調整治具により下方に押し付けられた状態でレールに対して固定され、これによって上下方向の固定がなされる。このときレールにかかる力は枠体の天板に伝わるが、天板は枠体の一構造部材として形成されるので、この押し付け力による反力に十分耐えることができる。したがって、仕切板の固定が確実となり、安定した状態で棚ユニットが設置された収納家具が提供される。
【００１０】
また、この発明によれば、上下調整治具による仕切板の下方への押し付け力を緩め、上下調整治具をレールに沿って所望位置に移動した後に、再度仕切板を固定することによって棚ユニットの位置を任意に変えたり、棚ユニットにおける棚板の開口幅を任意に変えたりすることができるので、家族構成の変化やリフォームなどにより枠体内の棚構成を変更する必要が生じたときにも、天板や座板などの家具構成部材に傷を付けずに棚構成を変更することができる。
【００１１】
請求項２に係る本発明によれば、棚ユニットの少なくとも一の棚板が、その四隅に設けられる棚板固定治具を介して仕切板に着脱可能に固定されるので、左右一対の仕切板は棚板の開口幅で棚板の左右木口端に固定され、仕切板の固定がより確実となる。
【００１２】
請求項３に係る本発明によれば、レールや上下調整治具を隠蔽する作用を果たす幕板の取付がレールを利用して行われるので、家具の幅方向における任意のレール位置で幕板を取り付けることができ、施工性が良い。また、幕板がレールに対して着脱可能に固定されるため、幕板を枠体から外した状態で、あらかじめ組み立てておいた棚ユニットを枠体内の所望位置に取り付けることが可能となる。したがって、棚ユニットの再下段の棚板（すなわち底板）を仕切板に対して固定する際に、棚板の下面側からの操作で固定するような棚板固定治具を用いた場合であっても、これをあらかじめ棚ユニットとして組み付けておいたものを枠体に固定することができ、棚ユニットおよび収納家具の構造強度をより一層向上させることができる。
【発明を実施するための最良の形態】
【００１３】
本発明の好適な実施形態による収納家具の構成について添付図面を参照して詳述すると、この収納家具は、枠体１０と、この枠体１０の内部空間に設けられる左右一対の棚ユニット２０，２０とを有してなる。
【００１４】
枠体１０は、天板１１、左右一対の側板１２、背板８およびカウンター（座板）１３を有する。天板１１はこの収納家具が設置される部屋の天井２に接して設けられる。また、この収納家具を該部屋の左右の壁下地材３，３間の距離Ｗ内に納めるため、側板１２と壁下地材３との間に調整板１９を用いている（図３）。この実施形態による収納家具は、カウンター１３の下に、床１に接して観音扉１７，１７付の収納部および左右一対の棚収納部１８，１８が設けられているが、このような下方収納部が設けられない場合は、カウンター１３が底板となって床面１上に載置される。
【００１５】
背板８は、主柱６や間柱７などに掛け渡して施工され、合板、ＭＤＦなどの木質系または石膏ボード、ケイ酸カルシウム板などの無機系材料からなる横長状の板を複数枚上下方向に接続して形成され、または、これら木質系または無機系材料からなる幅広の一枚板として用いられる。横長状の板を用いる場合は、各板の長手方向の木口に雄実および雌実が形成され、これらの嵌合を介して上下方向に接続して背板８とする。背板８の表面には突板、クロスなどの化粧材が任意に貼着される。背板８は枠体１０の略全幅に亘って延長しており、枠体１０の中央部（棚ユニット２０が存在しない領域）のみならず左右の棚ユニット２０の背面まで延長して設けられる（図３）。左右の棚ユニット２０の背面に位置する背板８の接続部溝には細木の挿入や充填材の充填などにより接続部溝を目立たないようにして意匠性を向上させることが好ましい。また、背板８と壁下地材３との間に遮音シートを設けて収納家具に遮音機能を付与することができる。遮音シートは背板８側および壁下地材３側のいずれに貼着しても良い。遮音シートとしては、ゴム、合成樹脂などに高比重の金属粉や無機物粉を混合した材料やこれら高比重材料自体から形成されたシートを用いることができる。
【００１６】
一方、棚ユニット２０は、左右一対の仕切板２１，２１と、これら仕切板に架け渡して設けられる任意枚数の棚板２２，２２…とから形成され、枠体１０のカウンター１３上に載置される。各仕切板２１の内側面には、棚板固定用ピン孔２３，２３…の列が奥行方向に適当な間隔をおいて２列設けられ、各ピン孔列にはピン孔２３，２３…が同一の一定ピッチで多数設けられている（図２）。左右一対の仕切板２１，２１について共通の部材を使用できるようにするため、各ピン孔列の上下方向の位置関係を対称に設けておくことが好ましい。
【００１７】
天板１１に添着される内天板１４の下面にはレール１５が固設されて収納家具の幅方向略全長に亘って延長しており、仕切板２１は、このレール１５に対して、上下調整治具３０により上下移動可能に固定される。なお、内天板１４を用いずに、天板１１の下面に直接溝を刻設してレール１５を埋設固定しても良い。
【００１８】
図４、図５および図６を参照して、上下調整治具３０は異形Ｌ字形のアングル金具３１を有する。アングル金具３１は、仕切板２１の上端に固定される取付片３１ａと、この取付片３１ａの上端から直角に折り曲げられた上端水平片３１ｂと、取付片３１ａの前端から直角に折り曲げられた側方突出片３１ｃとを有する。
【００１９】
この実施形態によれば、上下調整治具３０は、前記２列の棚板固定用ピン孔列のいずれか（この実施形態では前方のピン孔列）を利用して仕切板２１に固定されている。すなわち、取付片３１ａには一対の取付ビス挿通孔３１ｄ，３１ｅが形成されており、その一方３１ｄには、ピン孔２３の内径より若干大きいねじ径を有する専用ビス３２が挿通され、この専用ビス３２を該ピン孔列の上端位置のピン孔２３にねじ込むことによって上下調整治具３０を仕切板２１に固定している。もう一つの取付ビス挿通孔３１ｅには汎用のビス３３を挿通させて仕切板２１にねじ込む。上記のようにして上下調整治具３０を仕切板２１に固定する際、アングル金具３１の側方突出片３１ｃを仕切板２１の正面木口に密着させておくことにより、アングル金具３１の水平を維持することができる。
【００２０】
上端水平片３１ｂの中央にはねじ棒３４を挿通させるねじ挿通孔３１ｆが設けられると共に、その下面側にはねじ挿通孔３１ｆと整列した位置関係でナット部材３１ｇが固着されている。ねじ棒３４の先端はテーパー状とされ、該テーパー状先端３４ａがレール１５内に該レール延長方向に沿ってスライド移動可能に嵌合される。テーパー状先端３４ａの基端側には、レール１５の下面に当接するつば３４ｂが設けられている。ねじ棒３４の軸部３４ｂは下方に突出し、上述のようにして仕切板２１の上端に固着されたアングル金具３１の上端水平片３１ｂのねじ挿通孔３１ｆを挿通してナット部材３１ｇに螺合される。これにより、仕切板２１がレール１５に対して固定される。
【００２１】
図４はねじ棒３４の軸部３４ｂの下方突出量を最小にして仕切板２１が固定された状態を示し、図５は同下方突出量を最大にして仕切板２１が固定された状態を示している。同下方突出量の調整は、ねじ棒３４を（その下端に形成した＋または−の溝にドライバーを用いることなどによって）回すことによって調節可能であり、これによって仕切板２１の高さ位置が調整され、仕切板２１は下方に押し付けられた状態で固定される。実際の仕切板２１固定作業においては、ねじ棒３４を図４の最小突出量の状態（頭部をアングル金具３１の上端水平片３１ｂに略当接させた状態）にして、仕切板２１に対して専用ビス３２および汎用ビス３３で固定した後、ねじ棒３４を下端の＋または−溝にドライバーを当てて回転させて頭部を上昇させ、テーパー状先端３４ａをレール１５の溝内に挿入し、つば３４ｂがレール１５の下面に接触するように取り付けた後、さらにねじ棒３４を同方向に回転させることによりアングル金具３１を下方に移動させ、これに固定された仕切板２１を下方に押し付けてレール１５とカウンター１３の間に挟持固定する。このようにして固定された仕切板２１を取り外すときは、ねじ棒３４をドライバーで逆回転することにより、つば３４ｂをレール１５の下面から離すと共にテーパー状先端３４ａをレール１５の溝から外せば良い。
【００２２】
棚ユニット２０の各棚板２２は、左右一対の仕切板２１，２１の前記２列のピン孔列の任意の高さ位置の棚板固定用ピン孔２３，２３を用いて、これら仕切板に対して任意の高さ位置に取り付けられるが、そのうち少なくとも一つの棚板２２は、その下面側において棚板固定治具４０を四隅に用いることによって左右一対の仕切板２１，２１に対して固定される。棚板固定治具４０は、略円柱形状や略球形状などのケース４１内に移動板４２、偏心ねじ４３および偏心カム４４が設けられ、移動板４２の前方切り欠き凹部４２ａに仕切板２１に固定された異形ビス４５の頭部が係止されて構成されている。移動板４２は、その後方部に形成した開口４２ｂ内に収容された偏心カム４４を偏心ねじ４３により回転させることによって矢印方向（図８）にスライド移動可能に設けられており、棚板２２と仕切板２１とを互いに引き寄せることにより棚板２２と仕切板２１とを固定する。棚板２２を仕切板２１から外すときは、図８に示す偏心カム４４位置で、棚板２２を上方に持ち上げることにより、棚板２２を異形ビス４５の頭部から離して外すことができる。このような棚板固定治具４０を用いることにより、棚板２２を仕切板２１に対して着脱自在に固定することができる。
【００２３】
なお、図７および図８においては、棚板固定治具４０のケース４１の下半部を切除して内部構造が見えるようにしてある。また、ケース４１は棚板２２の厚み範囲内で埋設固定されており、棚板固定治具４０は棚板２２の上面側には露出していない。
【００２４】
上述のように、少なくとも一つの棚板２２について上記棚板固定治具４０を用いた固定が行われるが、この棚板固定治具４０が用いられる棚板２２は仕切板２１の下部に設けられることが好ましい。これによって棚ユニット２０の構造強度が高くなり、安定した収納家具として設置することができる。さらに好ましくは、仕切板２１の上方および下方に設けられるそれぞれ一つの棚板２２について棚板固定治具４０を用いた固定を行うと、より強度の高い棚ユニット２０とすることができる。さらに好ましくは三つ以上の棚板２２を棚板固定治具４０を用いて固定するものとし、一つは仕切板２１の下端近くに設け、残りを仕切板２１の高さ方向中央から上側と下側とに分散させて設けると、より一層強固に棚ユニット２０を組み立てることができる。棚板固定治具４０を用いない棚板２２は、たとえば、単にピンやダボを仕切板２１のピン孔２３に挿入固定し、その上に棚板２２を載置するようにしても良い。もちろん、すべての棚板２２を棚板固定治具４０によって固定する実施形態も本発明の範囲内である。
【００２５】
この収納家具には、上下調整治具３０やレール１５などを隠して美観を損ねないようにするための幕板１６が取り付けられる。幕板１６は、図９に示すようにして、幕板固定治具５０によってレール１５に固定することができる。幕板固定治具５０は、Ｌ字形の金具５１と、このＬ形金具５１に対して回転可能に設けられた係止部材５２とを有する。係止部材５２は、Ｌ形金具５１の水平片５１ａの下方に位置する下端操作部５２ａと、水平片５１ａに形成された孔（符号なし）を挿通する軸部５２ｂと、軸部５２ｂの先端（上端）に設けられる略直方体形状の先端係止部５２ｃとを有する。先端係止部５２ｃの略直方体形状は、短辺の長さがＬ１、長辺の長さがＬ２（Ｌ１＜Ｌ２）であって、Ｌ１はレール１５の溝開口幅より小さく、Ｌ２はレール１５の溝開口幅より大きく且つレール１５の内側幅に略等しいか若干大きく形成される。先端係止部５２ｃがこのように寸法設定された略直方体形状を有することから、図９（ａ）の位置関係で先端係止部５２ｃをレール１５の溝開口から溝内に挿入した後に、下端操作部５２ａを掴んで係止部材５２を約９０度回転させて図９（ｂ）の位置関係とすることにより、先端係止部５２ｃがレール１５の溝に対して密接状態で係合し、幕板１６が幕板固定治具５０を介してレール１５に固定される。また、この逆の操作により、レール１５に固定された幕板１６を取り外すことも容易である。
【図面の簡単な説明】
【００２６】
【図１】本発明の一実施形態による収納家具の正面図である。
【図２】図１の収納家具の右側面図である。
【図３】図１のＡ−Ａ断面図である。
【図４】図１のＢ−Ｂ断面図である。
【図５】図４の状態から上下調整治具を用いて仕切板を最大に押し下げた状態を示す図４と同様の断面図である。
【図６】上下調整治具の正面図（ａ）および右側面図（ｂ）である。
【図７】棚板の下面図である。
【図８】棚板固定治具を用いて棚板を仕切板に固定した状態を示す要部拡大図である。
【図９】幕板固定治具による作用説明図であり、（ａ）は先端係止部がレールに遊嵌されていて幕板がレールに対してフリーになっている状態、（ｂ）は先端係止部がレールに緊密に嵌合固定されて幕板がレールに固定された状態を示す図である。
【符号の説明】
【００２７】
９  幕板
１０  枠体
１１  天板
１２  側板
１３  カウンター（座板）
１５  レール
２０  棚ユニット
２１  仕切版
２２  棚板
３０  上下調整治具
３１  アングル金具
３４  ねじ棒
４０  棚板固定治具
５０，５０Ａ  幕板固定治具
５１  Ｌ形金具
５２  係止部材
【図１】
2006174907.tif 000003
【図２】
2006174907.tif 000004
【図３】
2006174907.tif 000005
【図４】
2006174907.tif 000006
【図５】
2006174907.tif 000007
【図６】
2006174907.tif 000008
【図７】
2006174907.tif 000009
【図８】
2006174907.tif 000010
【図９】
2006174907.tif 000011